(57)【特許請求の範囲】
【請求項１】
ハンドル本体と上部カバーとの間に、把持具が形成されたスライド片が設けられ、レバーによって把持具が作動するように形成された着脱可能な料理用容器のハンドルにおいて、
前記レバーの作動によって把持具とスライド片を引けるように、把持具に形成された連結軸と前記レバーに備えられたレバー軸が弧状のけん引ロッドで連結され、
前記把持具及びスライド片が引かれた後に最初の状態に復帰させるように、スライド片の後尾とハンドル本体との間に弾性部材が設けられ、
前記スライド片の中央には、把持具の２段階の解除のための係止片を形成して、上部カバーの内面に形成されたストッパーに係止するように構成され、
前記係止片を前記ストッパーから解除するように、前記レバーの中央にボタンが設けられたことを特徴とする、着脱可能な料理用容器のハンドル。
【請求項２】
前記把持具と前記スライド片は一体型または組立型に構成されたことを特徴とする、請求項１に記載の着脱可能な料理用容器のハンドル。
【請求項３】
前記把持具に滑り止めパッドが結合されたことを特徴とする、請求項１に記載の着脱可能な料理用容器のハンドル。
【発明の詳細な説明】
【技術分野】
【０００１】
本発明は、本発明は、着脱可能な料理用容器のハンドルに関する。
【背景技術】
【０００２】
周知のように、鍋やフライパンなどの料理用容器には、ユーザーが料理用容器を取って所望の場所に移動させるように料理用容器の両側または片側にハンドルが取り付けられている。
【０００３】
前述のように、料理用容器に取り付けられたハンドルは、加熱器具を利用して料理用容器を高温で長期間加熱すれば、高温の熱がハンドルに伝達されて、ユーザーが手に火傷をすることがあるため、布巾または料理用手袋を利用して料理用容器を取らなければならないという不便さがある。
【０００４】
そして、料理用容器に固定されているハンドルは外部に突出しているため、保管時に広い空間を占めるだけでなく、洗浄時にそのハンドルに異物が挟まることがあり、衛生面からも不潔であるという短所がある。
【０００５】
前記料理用容器の短所を解決するために、料理用容器のハンドルを料理用容器と別個に製作して、必要によって料理用容器に着脱して使用する着脱可能な料理用容器のハンドルの開発が進められている。
【発明の概要】
【発明が解決しようとする課題】
【０００６】
しかし、着脱可能な料理用容器のハンドルにおいて最も重要なものである把持具を作動させる構造において、ハンドルの下部にトング（Ｔｏｎｇ）タイプのレバーが作動して料理用容器を取って固定させるように構成されているため、レバーの作動時に大きい力が必要であるという短所がある。
【０００７】
前記短所を解消するために、把持具をカムの原理によって移動させて料理用容器を取って固定させるように構成されたものがあるが、構造が複雑であり、特に、カムの摩耗によって把持具の機能が低下し、全般的な作動が円滑ではないなどの問題により、着脱可能な料理用容器のハンドルの寿命が短縮するという短所がある。
【０００８】
そして、料理用容器からハンドルを分離するために把持具を料理用容器から解除するときには一挙に解除されるため、安全性が大きく低下するなど、構造的に多くの短所があった。
【０００９】
前記短所を解消するために、レバーを回転させれば把持具が引かれるように構成されたものがあるが、コイルスプリングを設ける構成が非常に複雑であり、さらに、把持具を２段階で制御する構成も非常に複雑であるなど、構造的に多くの問題点があった。
【００１０】
そこで、本発明は、上記問題に鑑みてなされたものであり、本発明の目的とするところは、着脱可能な料理用容器のハンドルを構成する把持具を料理用容器から解除するとき、把持具が２段階で解除されるように構成して、解除時に意図せぬ料理用容器の落下による安全事故を予防し、ユーザーの安全性を確保することが可能な、新規かつ改良された着脱可能な料理用容器のハンドルを提供することにある。
【課題を解決するための手段】
【００１１】
上記課題を解決するために、本発明のある観点によれば、ハンドル本体と上部カバーとの間に、把持具が形成されたスライド片が設けられ、レバーによって把持具が作動するように形成された着脱可能な料理用容器のハンドルにおいて、前記レバーの作動によって把持具とスライド片を引けるように、把持具に形成された連結軸と前記レバーに備えられたレバー軸が弧状のけん引ロッドで連結され、前記把持具及びスライド片が引かれた後に最初の状態に復帰させるように、スライド片の後尾とハンドル本体との間に弾性部材が設けられ、前記スライド片の中央には、把持具の２段階の解除のための係止片を形成して、上部カバーの内面に形成されたストッパーに係止するように構成され、前記係止片を前記ストッパーから解除するように、前記レバーの中央にボタンが設けられたことを特徴とする、着脱可能な料理用容器のハンドルが提供される。
【００１２】
前記把持具と前記スライド片は一体型または組立型に構成されてもよい。
【００１３】
前記把持具に滑り止めパッドが結合されてもよい。
【発明の効果】
【００１４】
以上説明したように本発明によれば、着脱可能な料理用容器のハンドルの把持具を作動させる構造がレバーに集中的に構成されて、部品数が減少し、構造が簡単になるため、組立性、耐久性及び把持力が向上して、製品競争力を高めることができる。
【図面の簡単な説明】
【００１５】
【図１】本発明による着脱可能な料理用容器のハンドルの主要な構成の一部を分解して示す斜視図である。
【図２】本発明による着脱可能な料理用容器のハンドルの他の構成を示す分解斜視図である。
【図３Ａ】本発明による着脱可能な料理用容器のハンドルの把持具が引かれた状態を示す断面図である。
【図３Ｂ】本発明による着脱可能な料理用容器のハンドルの把持具が引かれた状態を示す平面図である。
【図４Ａ】本発明による着脱可能な料理用容器のハンドルの把持具が１次解除された状態を示す断面図である。
【図４Ｂ】本発明による着脱可能な料理用容器のハンドルの把持具が１次解除された状態を示す平面図である。
【図５Ａ】本発明による着脱可能な料理用容器のハンドルの把持具が２次解除された状態を示す断面図である。
【図５Ｂ】本発明による着脱可能な料理用容器のハンドルの把持具が２次解除された状態を示す平面図である。
【発明を実施するための形態】
【００１６】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１７】
本発明による着脱可能な料理用容器のハンドルは、着脱可能な料理用容器のハンドルに係り、さらに詳細には、着脱可能な料理用容器のハンドルを構成する把持具の作動及び解除のための部品の構成を簡素化し、安全性が確保されるように把持具の解除作動を２段階で行うように構成された着脱可能な料理用容器のハンドルに関する。
【００１８】
具体的に説明すると、本発明による着脱可能な料理用容器のハンドルは、図１に示したように、ハンドル本体１と、中央にボタン５が結合されたレバー２０が回転自在に設けられた上部カバー２とがボルトで締結される。前記ハンドル本体１と上部カバー２との間に、把持具１１が形成されたスライド片１０が設けられるが、前記把持具１１が形成されたスライド片１０は一体型または組立型に構成される。
【００１９】
前記把持具１１に備えられた連結軸４とレバー２０に備えられたレバー軸２１を図１などに示した弧状のけん引ロッド３で連結して、レバー２０の回転によって梃子の原理によって把持具１１とスライド片１０を引けるように構成される。
【００２０】
例えば図３Ａに示したように、前記把持具１１には滑り止めパッド６が結合され、把持具１１が形成されたスライド片１０の後尾の両側とハンドル本体１との間に、弾性部材の一例であるコイルスプリング３０を介在させて、コイルスプリングの弾性によって把持具１１及びスライド片１０を復帰させるように構成される。
【００２１】
図１および図２に示したように、前記スライド片１０の中央には、把持具１１を２段階で解除するための係止片１２を形成して、上部カバー２の内面に形成されたストッパー７に係止するように構成する。また、レバー２０の中央に結合されたボタン５によって、スライド片１０に形成された係止片１２が押されて、上部カバー２の内面に形成されたストッパー７から解除されるように構成されている。
【００２２】
図３などにおける未説明符号４１は、ハンドル本体１に形成された支持面を示し、未説明符号４２は料理用容器を示す。
【００２３】
以上のように構成された本発明による着脱可能な料理用容器のハンドルの作用を説明すれば次の通りである。
【００２４】
本発明による着脱可能な料理用容器のハンドルは、把持具１１が形成されたスライド片１０に備えられた把持具１１とハンドル本体１に形成された支持面４１との間に料理用容器４２を入れて、把持具１１をレバーの回転によって引いて料理用容器４２を取る。
【００２５】
まず、把持具１１とハンドル本体１に形成された支持面４１が互いに離隔していない場合には、図４などに示したレバー２０の中央に設けられているボタン５を押して把持具１１及びスライド片１０を前進させて、ハンドル本体１に形成された支持面４１と把持具１１を互いに離隔させる。
【００２６】
このような状態で料理用容器４２の上部を把持具１１と支持面４１との間に挟んでレバー２０を逆時計回り方向に完全に回転させれば、スライド片１０に形成された把持具１１が引かれつつ料理用容器を取るようになる。
【００２７】
より具体的には、前記レバー２０を逆時計回り方向に回転させれば、レバー軸２１に結合された弧状のけん引ロッド３が円弧を描きつつ引かれ、弧状のけん引ロッド３の他側に連結軸４を介して結合された把持具１１及びスライド片１０も共に引かれて、把持具１１と支持面４１が料理用容器４２を取るようになる。
【００２８】
一方、スライド片１０が引かれつつ、スライド片１０の中央に形成された係止片１２が上部カバー２の内面に形成されたストッパー７からもう少し移動し、このとき、スライド片１０の後尾に形成されたコイルスプリング３０は収縮する。
【００２９】
前記のような状態で、料理用容器４２に着脱可能な料理用容器のハンドルを固定させて使用した後、料理用容器４２から着脱可能な料理用容器のハンドルを分離しようとする場合には、まず、図４に示したように、レバー２０を時計回り方向にやや回転させる。
【００３０】
それにより、把持具１１及びスライド片１０がやや前進しつつ、スライド片１０に形成されている係止片１２が上部カバーの内面に形成されたストッパー７と衝突して１次的に前進し、それ以上前進することを防止する。
【００３１】
前述のような状態で、レバー２０の中央に結合されたボタン５を押せば、図５に示したように、スライド片１０に形成された係止片１２がボタン５によって押されつつ、上部カバーの内面に形成されたストッパー７から解除され、このとき、スライド片１０の後尾に形成されたコイルスプリング３０は弾性によってスライド片１０及び把持具１１を２次的に前進させるため、把持具１１が支持面４１から完全に離隔して、料理用容器４２と着脱可能な料理用容器のハンドルを互いに分離することができる。
【００３２】
したがって、レバーを時計回り方向にやや回転させ、再びボタンを押さなければ、把持具１１及びスライド片１０が前進することを防止するようになって、レバー２０の誤作動による意図せぬ把持具１１の解除作用が行われないため、安全事故を防止することができる。
【００３３】
以上説明したように、本発明の実施形態によれば、着脱可能な料理用容器のハンドルを構成する把持具を料理用容器から解除するとき、把持具が２段階で解除されるように構成して、解除時に意図せぬ料理用容器の落下による安全事故を予防し、ユーザーの安全性を確保することができる。また、本発明の実施形態によれば、着脱可能な料理用容器のハンドルを構成する把持具の作動構造をレバー側に集中させ、部品の構成が簡単になるように改善して、組立性及び耐久性を向上させることが可能である。
【００３４】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００３５】
１  ハンドル本体
２  上部カバー
３  弧状のけん引ロッド
４  連結軸
５  ボタン
６  滑り止めパッド
７  ストッパー
１０  スライド片
１１  把持具
１２  係止片
２０  レバー
２１  レバー軸
３０  コイルスプリング
【図１】
0005369213.tif 000002
【図２】
0005369213.tif 000003
【図３Ａ】
0005369213.tif 000004
【図３Ｂ】
0005369213.tif 000005
【図４Ａ】
0005369213.tif 000006
【図４Ｂ】
0005369213.tif 000007
【図５Ａ】
0005369213.tif 000008
【図５Ｂ】
0005369213.tif 000009